(57)【要約】【課題】            インターネットにおける放送、特に画像を有する番組放送にあって、番組の提供者にとって、当該番組の具体的な視聴者の評価、満足度等の反応をより精度よく的確に把握することの困難さがあるという点であり、将来的な番組制作についての指針も関係者達による想像や勘に頼っていたという点である。【解決手段】        インターネット放送システムはユーザー参加型のインターネットにおけるディジタル放送の番組のアップロード・ストリーミングサイトにあって、前記番組のストリーミング中に、その番組を自動的に複数に分割し、その分割された番組間にユーザーのストリーミングあるいはダウンロード中各種のメッセージを組み入れることとし、前記した番組の分割はリプレイにおいては排除され、ユーザーにおけるアップロード・ストリーミングは自由とされることとする。【選択図】          図１
2008219318.tif 000002
【特許請求の範囲】
【請求項１】
ユーザー参加型のインターネットにおけるディジタル放送の番組のアップロード・ストリーミングサイトにあって、前記番組のストリーミング中に、その番組を自動的に複数に分割し、その分割された番組間にユーザーのストリーミングあるいはダウンロード中各種のメッセージを組み入れることを特徴とするインターネット放送システム。
【請求項２】
前記したメッセージはユーザーから回答の入力を得るアンケート項目としたことを特徴とする請求項１に記載のインターネット放送システム。
【請求項３】
前記したアンケート項目はユーザーの個人情報及び番組を続行して視聴するか否かあるいは番組内容の満足度を問うものとすることを特徴とする請求項２に記載のインターネット放送システム。
【請求項４】
前記したメッセージはコマーシャルメッセージもしくは他の番組の紹介であることを特徴とする請求項１に記載のインターネット放送システム。
【請求項５】
前記した番組の分割はリプレイにおいては排除され、ユーザーにおけるアップロード・ストリーミングは自由とされることを特徴とする請求項１、請求項２、請求項３または請求項４に記載のインターネット放送システム。
【発明の詳細な説明】
【技術分野】
【０００１】
本発明はインターネット放送システム、特にユーザー参加型のインターネット放送システムに関し、番組をユーザーが端末の画面で視聴することのできるディジタル放送番組のシステムに関する。
【背景技術】
【０００２】
従来、番組の放送、特に画像を有する放送はテレビ局から発信される地上波放送が主体となっているが、近時に衛生放送のほか、特にブロードバンドを用いることで種々の番組を時間に束縛されず自由に選択して視聴できるインターネット放送サービスも開始されている。
【０００３】
インターネット放送サービスではユーザー参加型、即ち双方向性という手段も採用されてはいるが、ユーザーにおける番組自体の評価、満足度はそのままでは番組の制作側やスポンサーには把握しずらく、タレントやアーティストの好感度等の変化も捉えきれないものとなっている。
【特許文献１】特開２００２−３５９８３４号公報
【発明の開示】
【発明が解決しようとする課題】
【０００４】
本発明が解決しようとする問題点は、インターネットにおける放送、特に画像を有する番組放送にあって、番組の提供者にとって、当該番組の具体的な視聴者の評価、満足度等の反応をより精度よく的確に把握することの困難さがあるという点であり、将来的な番組制作についての指針も関係者達による想像や勘に頼っていたという点である。
【０００５】
この点に関し、特許文献１として示した公報には、番組放送中に視聴者からの個人情報を含めたアンケート回答を求める技術が提示されている。しかしながら、この技術にあっては番組を当初より分割してメモリーさせておき、この分割された間にアンケート等を行なうこととなっており、予め番組を分割することの困難さ、例えば番組ごとにどの部分で一旦放送を中断したら効率的であるか等の困難さを伴なったものとなっており、スポンサーにとって有用なコマーシャルメッセージの挿入部分の選択も困難となっている。加えて、この技術ではユーザーが該番組をリプレイした際にも常時分割状態となっており、番組自体をフリーにストリーミングやダウンロードできないということとなる。
【課題を解決するための手段】
【０００６】
この問題点を解決するため、本発明に係るインターネット放送システムはユーザー参加型のインターネットにおけるディジタル放送の番組のアップロード・ストリーミングサイトにあって、前記番組のストリーミング中に、その番組を自動的に複数に分割し、その分割された番組間にユーザーのストリーミングあるいはダウンロード中各種のメッセージを組み入れることを特徴とし、前記したメッセージはユーザーから回答の入力を得るアンケート項目としたことを特徴とし、前記したアンケート項目はユーザーの個人情報及び番組を続行して視聴するか否かあるいは番組内容の満足度を問うものとすることを特徴とし、前記したメッセージはコマーシャルメッセージもしくは他の番組の紹介であることを特徴とし、前記した番組の分割はリプレイにおいては排除され、ユーザーにおけるアップロード・ストリーミングは自由とされることを特徴としている。
【発明の効果】
【０００７】
本発明に係るインターネット放送システムは上記のように構成されている。そのため、番組を分割し、その間にアンケート等のメッセージを挿入するとしても、その分割部分は自動的、例えば経過時間、映画ならカット数で設定することもでき、その他番組の試写等の際に得られるライクポイントに入った時点等で分割ができ、ユーザーが少しでも番組の続行を希望する状態での分割を図ることも可能である。
【０００８】
加えて、一度ユーザーが番組を視聴し、リプレイする際には分割が排除されるため、ストリーミングやダウンロードはスムーズとなり、これを録画することも容易となり、整然としたコレクションとすることができる。
【発明を実施するための最良の形態】
【０００９】
図面として示し、実施例で説明したように構成することで実現した。
【実施例１】
【００１０】
次に、本発明の好ましい実施の一例を図面を参照して説明する。図１は本発明に係るインターネット放送システムを示す概念図である。
【００１１】
本発明に係るインターネット放送システムにあっては当然に端末（受信手段）が多数接続されたインターネット網が存在しており、そのインターネット網と集中的な制御手段を介して番組コンテンツの記憶手段が接続されている。
【００１２】
前記した番組コンテンツの記憶手段からはその内容、即ち、番組名、主演者、アーティスト名やその内容の概要等をユーザーが選択し易いように、ジャンル別の一覧として端末に表示させることができる。ユーザーは視聴を希望する番組１を選択することとなり、逐次端末での番組１のストリーミングが開始される。
【００１３】
また、このストリーミングされる番組１がユーザーにとっての初めての視聴である場合、自動的にこの番組１は分割され、前部分１ａのみの放送が終了し、後部分１ｂは未放送状態とされる。ここで、この放送システムはその後部分１ｂの放送に先立ってメッセージ２、特に多くの場合はアンケート項目が挿入され、その回答を求めることとなる。
【００１４】
このメッセージ２としてのアンケート項目は、放送システムが会員制を採用する場合、この会員への登録要望をはじめ、氏名、住所、性別、年齢、職業、電話番号等の個人情報の回答と、番組１の前部分１ａに対する評価及び続行して視聴するか否かの回答となり、続行しないが選択されれば、そこで番組１の放送は終了とされる。
【００１５】
このメッセージ２としてのアンケートに回答し、続行を選択すると、番組１の後部分１ｂが続いて視聴することができ、ユーザーが再度この同じ番組１をリプレイすると、その場合にはメッセージ２の挿入、即ち、番組１の分割は排除され、最初から最終まで途切れのないスムーズなストリーミングやダウンロードがなされることとなる。
【００１６】
こうして、ユーザーから得たアンケートの回答は別途の記憶手段にメモリーされるとともに、統計処理手段によって、そのデータが整理され、番組制作関係者が入手することができ、これによって番組の改善や放送自体の打ち切り、そして将来的な番組制作の指針とすることができ、スポンサーにとっても、商品やサービスの販売を行なう対象も把握し易く、その年代や地域に向け独自の番組制作をなし、コマーシャルを行なっていくことが可能となる。
【００１７】
また、前記したメッセージ２はアンケートの他にもコマーシャルメッセージや他の番組紹介とすることもでき、この場合にもユーザーからの回答あるいは進言等を受けることも可能となり、番組をはなれて、コマーシャルを行なう商品自体に関しての反応も得ることも可能となる。
【００１８】
さらに、選択される番組１がスポーツ中継やコンサート中継、旅行案内等の情報番組である場合、その内容は逐一変わるものであり、番組にコードナンバー等を付せば、一度アンケートに回答済みのユーザーは次回から同一のコードナンバーの番組を視聴する際に、内容は異なっていても番組の分割なくスムーズにストリーミングする状態での視聴とすることも可能である。
【００１９】
本発明は上記のように構成されているので、記憶手段の点数も減少させることができ、通常のシステム監視も容易となり、故障を生じる要因も少なくなっているもので、システム構築の経費も低廉なもので済むものとなっている。
【産業上の利用可能性】
【００２０】
本発明に係るインターネット放送システムは上記のように構成されている。本発明はブロードバンドによるディジタル放送を想定しているが、現行のインターネットにおけるＩＳＤＮのようなナローバンドによる放送サービスにも本発明が応用実施できることは勿論である。また、本実施例では番組の二分割を示しているが、これにこだわらず、三分割や四分割等の多分割とすることもできる
【図面の簡単な説明】
【００２１】
【図１】本発明に係るインターネット放送システムを示す概念図である。
【符号の説明】
【００２２】
１    選択された番組
１ａ  前部分
１ｂ  後部分
２    メッセージ
【図１】
2008219318.tif 000003